(57)【要約】【課題】記事閲覧のための通信費を不要とし、その記事についてのユーザの思いを反映させ、閲覧したいときに閲覧する情報を即時に得る。【解決手段】特定の配信日又は配信時における複数の記事内容を一つのファイルに纏めた記事内容格納ファイルを受信して閲覧させる記事閲覧装置であって、受信した記事内容格納ファイルをカテゴリ毎にページを分けて一覧表示する記事内容表示部４２と、ページに表示された記事中の特定記事の記憶指定を受け、記憶記事として記憶する記事記憶部４３とを備える。また、記憶した特定記事に対する閲覧者によるコメント入力を保持するコメント保持部４４、あるいは事内容格納ファイルの全ての記事をキーワードに基づいて検索し、そのキーワードが含まれる記事の一覧を表示するキーワード検索表示部４５を備えてもよい。【選択図】      図２
2004185049.tif 000002
【特許請求の範囲】
【請求項１】
ネットワークを介して複数の記事内容を一つのファイルにまとめた記事内容ファイルを受信して閲覧させる記事閲覧装置であって、
前記受信した記事内容格納ファイルをカテゴリ別に一覧表示する記事内容表示手段と、
前記ページ毎に表示された記事内容の特定事項の記憶指示を受け、記憶記事として記憶する記事記憶手段と、
を備たことを特徴とする記事閲覧装置。
【請求項２】
設定された記事の配信日又は配信時に前記記事内容格納ファイルを受信、または、設定された記事の配信日又は配信時に前記記事内容格納ファィルの送信を依頼し前記記事内容格納ファィルを受信するファイル受信手段を備えたことを特徴とする請求項１に記載の記事閲覧装置。
【請求項３】
前記記事記憶手段は、前記記事内容格納ファイルの記事をカテゴリ毎にページを分けて一覧表示する機能を有することを特徴とする請求項１または２に記載の記事閲覧装置。
【請求項４】
前記保存した特定記事に対する閲覧者によるコメント入力を保持するコメント保持手段と、
を備えたことを特徴とする請求項１に記載の記事閲覧装置。
【請求項５】
前記記事内容格納ファイルの全ての記事をキーワードに基づいて検索し、そのキーワードが含まれる記事の一覧を表示するキーワード検索表示手段と、
を備えたことを特徴とする請求項１または２に記載の記事閲覧装置。
【請求項６】
ネットワークを介して複数の記事内容を一つのファイルにまとめた記事内容ファイルを受信して閲覧させる記事閲覧装置に用いられる記事閲覧方法であって、
前記受信した記事内容ファイルをカテゴリ別に一覧表示し、
前記ページ毎に表示された記事内容の特定事項の記憶指示を受け、記憶記事として記憶すること、
を特徴とする記事閲覧方法。
【請求項７】
ネットワークを介して複数の記事内容を一つのファイルにまとめた記事内容ファイルを受信して閲覧させる記事閲覧装置に用いられる記事閲覧プログラムであって、
前記受信した記事内容格納ファイルをカテゴリ別に一覧表示するステップと、
前記ページ毎に表示された記事内容の特定事項の記憶指示を受け、記憶記事として記憶するステップと、
をコンピュータに実行させる記事閲覧プログラム。
【発明の詳細な説明】
【０００１】
【発明の属する技術分野】
本発明は、特定の配信日又は配信時における複数の記事内容を一つのファイルに纏めた記事内容格納ファイルを受信して閲覧させる、記事閲覧装置及びその方法、並びに記事閲覧プログラムに関する。
【０００２】
【従来の技術】
インターネット上で取得できる有償情報は各種情報機器を用いてウェブページ上でサイトにアクセスし、インターネットに接続した状態でＵＲＬ（Ｕｎｉｆｏｒｍ・Ｒｅｓｏｕｒｃｅ・Ｌｏｃａｔｏｒ）をクリックするか、アンカー、あるいはボタンをクリックすることによりサーバにリクエストを行い、必要な情報を得る（例えば、特許文献１参照）。
【０００３】
【特許文献１】
国際公開番号ＷＯ０１／３３４４５号
【０００４】
【発明が解決しようとする課題】
ところで、ＰＤＡは通信費が高い、あるいは通信カード自体があまり普及していないことから、高い通信費を払い、配信される新聞記事や雑誌記事等を閲覧するユーザは少なく、記事閲覧用に普及していないのが現状である。
そこで、記事配信事業の利用拡大ために、更に、ＰＤＡによる閲覧を普及させるためには、通信費を抑えるための何らかの改善が望まれる。
【０００５】
本発明は上記事情に鑑みてなされたものであり、記事に関する情報を一括して１個のファイルとしてダウンロードすることにより得る、複数の記事をオフラインンでの参照を許すことにより閲覧のための通信費を不要とした、記事閲覧装置及びその方法、並びに記事閲覧プログラムを提供することを目的とする。
また、閲覧記事をクリップ、あるいはメモ書きして保管することにより、更に検索を行わせることにより、その記事についてのユーザの思いを反映させ、閲覧したいときに閲覧する情報を即時に得ることのできる、記事閲覧装置及びその方法、並びに記事閲覧プログラムを提供することも目的とする。
【０００６】
【課題を解決するための手段】
上記した課題を解決するために本発明は、ネットワークを介して複数の記事内容を一つのファイルにまとめた記事内容ファイルを受信して閲覧させる記事閲覧装置であって、前記受信した記事内容格納ファイルをカテゴリ別に一覧表示する記事内容表示手段と、前記ページ毎に表示された記事内容の特定事項の記憶指示を受け、記憶記事として記憶する記事記憶手段と、を備たことを特徴とする。
【０００７】
また、本発明において、設定された記事の配信日に前記記事内容格納ファイルを受信、または、設定された記事の配信日に前記記事内容格納ファィルの送信を依頼し前記記事内容格納ファィルを受信するファイル受信手段を備えたことを特徴とする。
【０００８】
また、本発明において、前記記事記憶手段は、前記記事内容格納ファイルの記事をカテゴリ毎にページを分けて一覧表示する機能を有することを特徴とする。
【０００９】
また、本発明において、前記保存した特定記事に対する閲覧者によるコメント入力を保持するコメント保持手段と、を備えたことを特徴とする。
【００１０】
また、本発明において、前記記事内容格納ファイルの全ての記事をキーワードに基づいて検索し、そのキーワードが含まれる記事の一覧を表示するキーワード検索表示手段と、を備えたことを特徴とする。
【００１１】
上記した課題を解決するために本発明は、ネットワークを介して複数の記事内容を一つのファイルにまとめた記事内容ファイルを受信して閲覧させる記事閲覧装置に用いられる記事閲覧方法であって、前記受信した記事内容ファイルをカテゴリ別に一覧表示し、前記ページ毎に表示された記事内容の特定事項の記憶指示を受け、記憶記事として記憶すること、を特徴とする。
【００１２】
上記した課題を解決するために本発明は、ネットワークを介して複数の記事内容を一つのファイルにまとめた記事内容ファイルを受信して閲覧させる記事閲覧装置に用いられる記事閲覧プログラムであって、前記受信した記事内容格納ファイルをカテゴリ別に一覧表示するステップと、前記ページ毎に表示された記事内容の特定事項の記憶指示を受け、記憶記事として記憶するステップと、をコンピュータに実行させることを特徴とする。
【００１３】
【発明の実施の形態】
図１は、本発明の記事閲覧装置が接続される通信インフラストラクチャの接続構成を説明するために引用した図である。
図１において、１は新聞社、雑誌社が作成し、保有する記事ソースデータベース（ＤＢ）である。２は、記事をファイルとして配信するチャネル配信事業者が持つダウンロードサーバであり、ダウンロードサーバ２は、記事ソースＤＢ１から記事内容に関わる情報を、例えば、リアルタイム、時間単位、あるいは日単位で取り込み、ユーザが所持する記事閲覧装置であるＰＤＡ４や、小型ＰＣ携帯情報端末に配信する。
【００１４】
また、ダウンロードサーバ２では、新聞社、雑誌から送られてきた記事などを記事内容に対応してカテゴリに分け、記事内容に沿ってカテゴリファイルを作成する。そしてこのカテゴリをまとめて一つの上記ファイルとすることもできる。更に、ダウンロードサーバ２は、ファィルをＰＤＡ４に送信する特定の送信日に送信する。この特定の送信日とは、通常は毎日決った時間に設定されるが、ＰＤＡ４からの指示により設定することもできる。また、ＰＤＡ４からの指示があった時点を特定の通信日とすることもでき、ファイルされる記事の量を決めておき、決められた記事量を超えた時点にファイルを送信する時を特定の送信日とすることもできる。
【００１５】
ＰＤＡ４は、本発明の記事閲覧装置として機能する。すなわち、後述するように、例えば、特定の配信日又は配信時における複数の記事内容を一つのファイルにまとめた記事内容ファイル（以下、チャネルファイルという）を受信し、受信したチャネルファイルをカテゴリ毎にページを分けて一覧表示し、ページに表示された記事中の特定記事の保存指定を受け、保存記事として保存する。
このように、配信されるチャネルファイルをダウンロードし、必要に応じて配信された全ての記事をオフラインで閲覧するため、ダウンロード時に通信料金は課金されても閲覧時に課金されることはない。従って、ブラウザのように、閲覧したウェブページをパソコン上にキャッシュし、キャッシュしたウェブページ以外オフラインで閲覧することのできないものとは異なる。
【００１６】
図２は、図１に示すＰＤＡの内部構成を機能展開して示したブロック図である。以下に示すブロックは、具体的には、ＣＰＵならびにメモリを含む周辺ＬＳＩで構成され、ＣＰＵがメモリに記録されたプログラムを読み出し実行することにより、それぞれのブロックが持つ機能を実現するものとする。
ＰＤＡ４は、表示モニタ４０と、通信インタフェース部４１と、記事内容表示部４２と、記事記憶部４３と、コメント保持部４４と、キーワード検索表示部４５と、記事内容格納ＤＢ４６と、文字入力部４７で構成される。
【００１７】
通信インタフェース部４１は、ここではチャネル配信事業者が持つダウンロードサーバ２とはＩＰ網３を介して接続されるため、ＴＣＰ／ＩＰ（Ｔｒａｎｓｐｏｒｔ・Ｃｏｎｔｒｏｌ・Ｐｒｏｔｏｃｏｌ／Ｉｎｔｅｒｎｅｔ・Ｐｒｏｔｏｃｏｌ）が実装される。
記事内容表示部４２は、特定の配信日又は配信時における複数の記事内容を一つのファイルに纏められたチャネルファイルを、通信インタフェース部４１を介して受信し、当該受信したチャネルファイルをカテゴリ毎にページを分けて表示モニタ４０へ一覧表示する機能を持つ。また、受信したチャネルファイルを記事内容格納ＤＢ４６に保存する機能も併せ持つ。
【００１８】
記事記憶部４３は、記事内容表示部４２によりページ表示された記事中の特定記事の記憶指定を受け、記憶記事として記憶する機能を持つ。また、コメント保持部４４は、記事記憶部４３が保存した特定記事に対し、キーボード等で構成される文字入力部４７を介して入力される閲覧者によるコメントを保持する機能を持つ。
なお、キーワード検索表示部４５は、記事内容格納ファイル４６に格納された全ての記事を、文字入力部４７を介して入力されるキーワードに基づいて検索し、そのキーワードが含まれる記事の一覧を、記事内容表示部４２を介して表示モニタ４０へ表示する機能を持つ。
【００１９】
図３〜図５は、図１、図２に示す本発明実施形態の動作を説明するために引用した図であり、動作フローチャート（図３）、ＰＤＡ画面遷移図（図４、図５）のそれぞれを示す。
なお、図３に示す動作フローチャートは、具体的には本発明の記事閲覧プログラムの処理手順を示す。
以下、図３〜図５を参照しながら図１、図２に示す本発明実施形態の動作について詳細に説明する。
【００２０】
ＰＤＡ４を所持するユーザは、まず、チャネル配信事業者のダウンロードサーバ２に接続し、ＩＰ網３を介してチャネルファイルを入手する。以降、ここでは、配信日又は配信時毎に記事内容格納ＤＢ４６に格納されるそれぞれのチャネルファイルを、メニュー選択によるオフラインでの閲覧が可能になる。
まず、ＰＤＡ４にトップ画面が出現し（図４（ａ））、ユーザは、画面下に表示される一覧メニューもしくはクリップ一覧メニューの選択入力が促がされ、ここで希望するメニューをクリックする（Ｓ３０１、Ｓ３０２）。
ここでは一覧がクリックされたものとし、この場合、図４（ｂ）に示す一覧画面の表示に遷移する（Ｓ３０３）。この一覧画面に出現するタブ選択により、社会、スポーツ、国際、政治、経済等、カテゴリの選択も可能になる（Ｓ３０４）。この模様は図４（ｃ）に示されている。
【００２１】
カテゴリ選択により、そのカテゴリにあった一覧画面が表示された後は（Ｓ３０５）、その内容欄をクリックすることで記事選択がなされ（Ｓ３０６）、図４（ｄ）に示す記事本部画面に遷移する（Ｓ３０７）。
そして、その記事に関して興味を持った場合、ユーザは、クリップ要として画面下に出現するクリップボタンをクリックする。このことにより、記事記憶部４３が起動され、その記事本文が記事内容格納ＤＢ４６の中にチャネルファイルとは別ファイルとして保存される（Ｓ３０９）。上記したクリップ操作が行われれば、図４（ｅ）に示す画面が出現し、また、図４（ｂ）に示されるように一覧画面が表示されたときにその一覧の中のクリップ欄に●表示がなされる。
【００２２】
一方、Ｓ３０２において、クリップ一覧が選択指示された場合、表示モニタ４０に表示される内容は図５（ａ）に示すトップ画面から図５（ｂ）に示すクリップ一覧表示に遷移する（Ｓ３１１）。そして、このクリップ一覧表示の中から記事の選択入力が促がされ（Ｓ３１２）、ここでユーザが記事を選択入力することにより、その選択記事に相当する記事本文画面が出現する（Ｓ３１３）。この記事本文画面は図５（ｃ）に示されている。
尚、図５（ｃ）に示す記事本文画面の下にはメモボタンが表示されている。ここでメモボタンをクリックし、ユーザが記事本文に対してコメントを付すことにより、この記事内容を特定の人へ通知し、あるいはこの記事内容に対する自分の思いを入力することが可能になる。
【００２３】
具体的に、ユーザがメモボタンをクリックし（Ｓ３１４）、記事内容に対するメモ書き要と判断した場合（Ｓ３１６）、図５（ｄ）に示されるように、コメント入力画面が出現し（Ｓ３１７）、コメント保持部４４がユーザによって文字入力部４７を介して入力されるメモ入力を取り込み、メモとしてクリップされた記事にリンクして記事内容格納ＤＢ４６に保存する（Ｓ３１８、Ｓ３１９）。ここでメモが保存された場合は、図５（ｂ）に示されるようにクリップ一覧画面が表示されたときにその一覧の中のメモ欄に●表示がなされることにより反映される。
なお、Ｓ３１４において、既にメモされていた場合には、図５（ｅ）に示されるようにメモ済みの記事内容が表示される（Ｓ３１５）。
【００２４】
また、フローチャート中に記載はないが、必要に応じて記事内容格納ＤＢ４６に格納されたチャネルファイルの全ての記事、あるいはクリップ、メモ指定された内容をキーワードに基づいて検索し、そのキーワードが含まれる記事の一覧を表示することも可能である。
この場合、キーワード検索表示部４５が、ユーザにキーワード入力を促がし、文字入力部４７を介して入力さたキーワードを取り込み、記事内容格納ＤＢ４６を検索して表示モニタ４０に該当記事を表示させることになる。
【００２５】
以上説明のように本発明は、記事に関する情報を一括して１個のファイルとしてダウンロードすることにより得、複数の記事をオフラインでの参照を許すことにより閲覧のための通信費を不要としたものであり、また、閲覧記事をクリップ、あるいはメモ書きして保管し、更に検索を行わせることにより、その記事についてのユーザの思いを反映させ、閲覧したいときに閲覧する情報を即時に得ることができるものである。
なお、図２に示す通信インタフェース部４１と、記事内容表示部４２と、記事記憶部４３と、コメント保持部４４と、キーワード検索表示部４５と、文字入力部４７のそれぞれで実行される手順をコンピュータ読み取り可能な記録媒体に記録し、この記録媒体に記録されたプログラムをコンピュータシステムに読み込ませ、実行することにより本発明の記事閲覧装置が実現されるものとする。ここでいうコンピュータシステムとは、ＯＳや周辺機器等のハードウアを含むものである。
【００２６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２８】
以上、この発明の実施形態につき、図面を参照して詳述してきたが、具体的な構成はこの実施形態に限られるものではなく、この発明の要旨を逸脱しない範囲の設計等も含まれる。
【００２９】
【発明の効果】
以上説明のように本発明によれば、ダウンロードにより得られるチャネルファイルをカテゴリ毎にページを分けて一覧表示し、ページ表示された記事中の特定事項の記憶指定を受け記憶記事として記憶することにより、一度のダウンロードで複数記事を読むことができ、また記憶した記事をいつでも必要なときに閲覧することが可能となる。
【００３０】
また、本発明によれば、記憶した特定記事に対する閲覧者によるコメント入力を保持することにより、各記事に対するコメントを対応して記憶することができ、各記事に対するユーザの思いを反映させることができる。
更に、本発明によれば、チャネルファイルの全ての記事をキーワードに基づいて検索し、そのキーワードが含まれる記事の一覧を表示することにより、閲覧したいときに閲覧する情報を即時に得ることができる。
【図面の簡単な説明】
【図１】本発明の記事閲覧装置が接続される通信インフラストラクチャの接続構成を説明するために引用した図である。
【図２】図１に示すＰＤＡの内部構成を機能展開して示したブロック図である。
【図３】本発明実施形態の動作を背詰めてするために引用した動作フローチャートである。
【図４】本発明実施形態の動作を説明するために引用したＰＤＡ画面遷移図である。
【図５】本発明実施形態の動作を説明するために引用したＰＤＡ画面遷移図である。
【符号の説明】
１…記事ソースＤＢ、２…ダウンロードサーバ、３…ＩＰ網、４…ＰＤＡ、４０…表示モニタ、４１…通信インタフェース部、４２…記事内容表示部、４３…記事記憶部、４４…コメント保持部、４５…キーワード検索表示部、４６…記事内容格納ＤＢ、４７…文字入力部
【図１】
2004185049.tif 000003
【図２】
2004185049.tif 000004
【図３】
2004185049.tif 000005
【図４】
2004185049.tif 000006
【図５】
2004185049.tif 000007